(57)【要約】【課題】無意味な測定を極力減らして、測定対象の変調信号に含まれる、操作者にて指定された通信システムのチャネルの信号解析を効率的に実施する。【解決手段】外部から指定され通信システムに所属する各チャネル番号及び対応する各周波数値を通信システムチャネルメモリ１から読出して、測定リストテーブル９に書込む。この測定リストテーブルに記憶された各周波数値の周波数成分の信号値を対応するチャネル番号のパワー値として測定し、パワー値がしきい値以上か否かをパワー判定結果テーブル９に書込む。そして、パワー値がしきい値以上と記憶された各チャネル番号の変調方式の判定を行い、各チャネルの変調方式判定結果を変調解析結果テーブル２２に書込む。【選択図】図１
2007028078.tif 000002
【特許請求の範囲】
【請求項１】
入力された変調信号の信号解析を行う変調信号解析装置において、
複数のチャネル番号及び各チャネル番号に対応する複数の周波数値を複数のグループに分割して、各グループを変調方式が互いに異なる複数の通信システム（Ｇ1、Ｇ2）に割付けた通信システムチャネルメモリ（１）と、
前記複数の通信システムのうち外部から指定された１又は２以上の通信システムに所属する各チャネル番号及び対応する各周波数値を前記通信システムチャネルメモリから読出して、測定リストテーブル（９）に書込む測定リストテーブル作成手段（５）と、
前記入力された変調信号における前記測定リストテーブルに記憶された各周波数値の周波数成分の信号値を対応するチャネル番号のパワー値として測定し、チャネル番号毎にパワー値がしきい値以上か否か及び所属通信システム名をパワー判定結果テーブル（１９）に書込むパワー測定手段（１０、１７、１８）と、
前記パワー判定結果テーブルにパワー値がしきい値以上と記憶された各チャネル番号の変調信号を該当チャネル番号の周波数を用いて変調方式の判定を行い、各チャネルの変調方式判定結果を変調解析結果テーブル（２２）に書込む変調解析手段（２０、２１）と
を備えたことを特徴とする変調信号解析装置。
【請求項２】
外部指示に基づいて、前記変調解析結果テーブルに記憶された各チャネル番号のうち前記変調方式判定以外の詳細測定を行うチャネルのチャネル番号を指定する詳細測定チャネル指定手段（２４）と、
前記チャネル毎の前記詳細測定に用いるパラメータを記憶するパラメータメモリ（２３）と、
前記入力された変調信号における前記詳細測定チャネル指定手段で指定されたチャネル番号のチャネルの詳細測定を前記パラメータメモリに記憶されたパラメータを用いて行う詳細測定手段（２５）と
を備えたことを特徴とする請求項１記載の変調信号解析装置。
【請求項３】
前記通信システムチャネルメモリの各チャネル番号のなかから予めユーザ指定されたチャネル番号及び対応する周波数値を記憶するユーザ指定チャネルメモリ（２）を設け、
前記測定リストテーブル作成手段は、外部からユーザ指定採用が指示されると、前記ユーザ指定チャネルメモリに記憶されたチャネル番号及び対応する周波数値を読出して、前記測定リストテーブルに追加書込する
ことを特徴とする請求項１又は２記載の変調信号解析装置。
【請求項４】
前記通信システムチャネルメモリの各チャネル番号のなかから予めユーザ指定されたチャネル番号及び対応する周波数値を記憶するユーザ指定チャネルメモリ（２）を設け、
前記測定リストテーブル作成手段は、外部からユーザ指定採用が指示されると、指定されなかった通信システムに所属する各チャネル番号のうちの前記ユーザ指定チャネルメモリに記憶されたチャネル番号及び対応する周波数値を当該通信システムチャネルメモリから読出して、前記測定リストテーブルに追加書込する
ことを特徴とする請求項１又は２記載の変調信号解析装置。
【請求項５】
前記変調解析手段は、前記パワー判定結果テーブルにパワー値がしきい値以上と記憶された各チャネル番号及び前記ユーザ指定されたチャネル番号の変調信号を該当チャネル番号の周波数を用いて変調方式の判定を行い、各チャネルの変調方式判定結果を変調解析結果テーブルに書込む
ことを特徴とする請求項３又は４記載の変調信号解析装置。
【発明の詳細な説明】
【技術分野】
【０００１】
本発明は、入力された変調信号を信号解析する変調信号解析装置に係わり、特に、全部の通信システムに亘って連続するチャネル番号が付された複数のチャネルが含まれるとともに、各チャネルには一定周波数間隔で増加する各周波数が割付けられている変調信号の各チャネルに対する信号解析を行う変調信号解析装置に関する。
【背景技術】
【０００２】
例えば、ＰＤＣ、ＰＨＳ等の携帯電話の移動通信システムには、変調方式が異なる複数の通信システムが同一電波エリアで稼働している。この変調方式が異なる複数の通信システムとしては、例えば、Ｗ―ＣＤＭＡ方式の通信システム（Ｇ1）、ｃｄｍａ2000方式の通信システム（Ｇ2）等がある。
【０００３】
有限な搬送波周波数を有効に使用するために、例えば、第３世代携帯電話システムの規格（３ＧＰＰ  ＴＳ２５１４１など）では、１．７〜２．０ＧHz帯において、２００ｋHz間隔で周波数（搬送波周波数）が定められており、各周波数を有した各チャネルに連続したチャネル番号（絶対チャネル番号）が付されている。この連続したチャネル番号が付され複数のチャネルを複数のグループに分割して、上述した各変調方式が異なる複数の通信システムに割付ける。
【０００４】
通信システム毎の基地局と携帯端末との間で送受信される各変調信号、各通信システムの共通アンテナと基地局と携帯端末との間で送受信される変調信号に含まれる各チャネルに対して、例えば特許文献１に示す、各種の信号解析を行って、各チャネルの信号特性が規格を満たすことを確認する必要がある。
【０００５】
このような変調信号の各チャネルに対する信号解析を行う変調信号解析装置においては、入力された変調信号を、前述した、２００ｋHz間隔で周波数が割当てられた各チャネルを順番に検出して、この検出され各チャネルに対する各種の測定を実施ずる。
【特許文献１】特開２００４―３２８５０３号公報
【発明の開示】
【発明が解決しようとする課題】
【０００６】
しかしながら、前述した１．７〜２．０ＧHz帯において、２００ｋHz間隔で周波数が割当てられたチャネルの数は例えば１０００チャネルを超える大な数となる。そのため、各チャネルを順番に検出して、この検出され各チャネルに対する各種の測定を実施するには、多大な測定時間が必要となる。
【０００７】
また、１つの基地局で送受信される変調信号には、前記規格で定められた全チャネルに信号が出力されていることはほとんどない。このような場合、信号が出力されていないチャネルに対する各種の測定を実施することは無意味であるので、測定処理能率がより一層低下する。
【０００８】
また、常に、全ての通信システムに割当てられた全部のチャネルに対する試験を実施する必要が有るとは限らない。
【０００９】
本発明はこのような事情に鑑みてなされたものであり、無意味な測定を極力減らして、測定対象の変調信号に含まれる、操作者にて指定された通信システムのチャネルの信号解析を効率的に実施できる変調信号解析装置を提供することを目的とする。
【課題を解決するための手段】
【００１０】
上記課題を解決するために、本発明の入力された変調信号の信号解析を行う変調信号解析装置においては、複数のチャネル番号及び各チャネル番号に対応する複数の周波数値を複数のグループに分割して、各グループを変調方式が互いに異なる複数の通信システムに割付けた通信システムチャネルメモリと、複数の通信システムのうち外部から指定された１又は２以上の通信システムに所属する各チャネル番号及び対応する各周波数値を前記通信システムチャネルメモリから読出して、測定リストテーブルに書込む測定リストテーブル作成手段と、入力された変調信号における測定リストテーブルに記憶された各周波数値の周波数成分の信号値を対応するチャネル番号のパワー値として測定し、チャネル番号毎にパワー値がしきい値以上か否か及び所属通信システム名をパワー判定結果テーブルに書込むパワー測定手段と、パワー判定結果テーブルにパワー値がしきい値以上と記憶された各チャネル番号の変調信号を該当チャネル番号の周波数を用いて変調方式の判定を行い、各チャネルの変調方式判定結果を変調解析結果テーブルに書込む変調解析手段とを備えている。
【００１１】
このように構成された変調信号解析装置においては、操作者が測定したい通信システムを指定すると、指定された通信システムに所属するチャネル番号及びこのチャネル番号に対応する周波数値が測定リストテーブルに書込まれる。したがって、全ての通信システムに割当てられた全部のチャネルに対する試験を実施する必要がないので、試験能率を向上できる。
【００１２】
さらに、測定リストテーブルに記憶された各チャネル番号におけるパワー値がしきい値以上のチャネルに対してのみ変調方式の判定解析が実施され、パワー値がしきい値未満のチャネルは変調方式の判定解析が実施されない。したがって、指定した通信システムに割当てられた全部のチャネルに対する試験を実施する必要がないので、試験能率をさらに向上できる。
【００１３】
また別の発明は、上述した発明の変調信号解析装置に対して、さらに、外部指示に基づいて、変調解析結果テーブルに記憶された各チャネル番号のうち変調方式判定以外の詳細測定を行うチャネルのチャネル番号を指定する詳細測定チャネル指定手段と、チャネル毎の詳細測定に用いるパラメータを記憶するパラメータメモリと、入力された変調信号における詳細測定チャネル指定手段で指定されたチャネル番号のチャネルの詳細測定を前記パラメータメモリに記憶されたパラメータを用いて行う詳細測定手段とを備えている。
【００１４】
このように構成された変調信号解析装置においては、操作者は、測定された指定通信システムの各チャネルのうち、特に詳細に信号解析を実施したいチャネル番号を指定すると、指定されたチャネルに対して対応するパラメータを用いて、該当チャネルに対する詳細測定が自動的に実施される。
【００１５】
また別の発明は、上述した発明の変調信号解析装置において、通信システムチャネルメモリの各チャネル番号のなかから予めユーザ指定されたチャネル番号及び対応する周波数値を記憶するユーザ指定チャネルメモリを設けている。さらに、測定リストテーブル作成手段は、外部からユーザ指定採用が指示されると、ユーザ指定チャネルメモリに記憶されたチャネル番号及び対応する周波数値を読出して、測定リストテーブルに追加書込する。
【００１６】
このように、ユーザ指定チャネルメモリを設けることによって、操作者は、通信システムチャネルメモリの各チャネル番号のなかから自己が特に注目したいチャネルを予めユーザ指定チャネルメモリに登録しておくことによって、指定したチャネルが、測定指定され通信システムに所属しているか否かにかかわらず、必ず測定される。
【００１７】
また別の発明は、上述した発明の変調信号解析装置において、通信システムチャネルメモリの各チャネル番号のなかから予めユーザ指定されたチャネル番号及び対応する周波数値を記憶するユーザ指定チャネルメモリを設けている。さらに、測定リストテーブル作成手段は、外部からユーザ指定採用が指示されると、指定されなかった通信システムに所属する各チャネル番号のうちのユーザ指定チャネルメモリに記憶されたチャネル番号及び対応する周波数値を当該通信システムチャネルメモリから読出して、測定リストテーブルに追加書込する。
【００１８】
このように構成された変調信号解析装置においては、ユーザ指定チャネルメモリで指定されたチャネルと測定指定され通信システムに所属するチャネルとが重複した場合は、いずれか一方のみが測定リストテーブルに書込まれるので、同一チャネルに対して重複測定されることはない。
【００１９】
また別の発明は、上述した発明の変調信号解析装置において、変調解析手段は、パワー判定結果テーブルにパワー値がしきい値以上と記憶された各チャネル番号及びユーザ指定されたチャネル番号の変調信号を該当チャネル番号の周波数を用いて変調方式の判定を行い、各チャネルの変調方式判定結果を変調解析結果テーブルに書込む。
【００２０】
このように構成された変調信号解析装置においては、ユーザ指定チャネルメモリにおいて、ユーザ指定されたチャネルは、たとえ該当チャネルのパワー値がしきい値未満であっても、変調方式が判定されるので、操作者は、自己が指定したチャネルの解析結果を必ず確認できる。
【発明の効果】
【００２１】
本発明の変調信号解析装置においては、外部から指定され通信システムに所属する各チャネル番号及び対応する各周波数値を通信システムチャネルメモリから読出して、測定リストテーブルに書込むようにしている。
【００２２】
したがって、例えば信号が出力されていないチャネルに対する変調方式判定等の無意味な測定を極力減らして、測定対象の変調信号に含まれる、外部指定された通信システムのチャネルの信号解析を効率的に実施できる。
【発明を実施するための最良の形態】
【００２３】
以下、本発明の一実施形態を図面を用いて説明する。
【００２４】
図１は本発明の一実施形態に係わる変調信号解析装置の概略構成を示す機能ブロック図である。この変調信号解析装置の測定対象とする変調信号ａは、前述したように、通信システム毎の基地局のアンテナと携帯端末との間、又は複数の通信システムで共用する共同アンテナと携帯端末との間で送受信される変調信号である。したがって、この変調信号ａには、各通信システムに割当てられたそれぞれ周波数が異なる複数のチャネルが含まれる。なお、この実施形態においては、例えば、Ｗ―ＣＤＭＡ方式の通信システム（Ｇ1）、ｃｄｍａ2000方式の通信システム（Ｇ2）の２種類の通信システムを想定している。
【００２５】
この変調信号解析装置の記憶装置内には、通信システムチャネルメモリ１、ユーザ指定チャネルメモリ２、測定リストテーブル９、パワー判定結果テーブル１９、変調解析結果テーブル２２、パラメータメモリ２３が設けられている。
【００２６】
通信システムチャネルメモリ１内には、図２に示すように、Ｗ―ＣＤＭＡ方式の通信システム（Ｇ1）に割付けられた各チャネルのチャネル番号ＣＨ1…、及び周波数ｆ1…からなる通信システム割付情報１ａ、及びｃｄｍａ2000方式の通信システム（Ｇ2）に割付けられた各チャネルのチャネル番号ＣＨn+1…、及び周波数ｆn+1…からなる通信システム割付情報１ｂが記憶されている。
【００２７】
ユーザ指定チャネルメモリ２内には、図３に示すように、通信システムチャネルメモリ１の各通信システム割付情報１ａ、１ｂの各チャネル番号のなかから予めユーザ指定されたチャネル番号ＣＨ及び対応する周波数ｆからなるユーザ指定チャネル情報２ａが記憶されている。具体的には、表示器３と操作部４を用いてユーザが各通信システム割付情報１ａ、１ｂ内における測定したいチャネル番号ＣＨを指定する。
【００２８】
この通信システムチャネルメモリ１内の各通信システム割付情報１ａ、１ｂ、及びユーザ指定チャネルメモリ２内のユーザ指定チャネル情報２ａは、測定リスト作成部５にて読出されて、図４に示すように、表示器３に表示される。この表示器３には、同時に、各通信システム、及びユーザ指定チャネルの測定採用の指定ボタン６ａ、６ｂ、６ｃが設けられている。
【００２９】
そして、操作者が、通信システム選択部７を介した指定ボタン６ａ、６ｂ操作で測定採用の通信システムを選択し、ユーザチャネル指定部８を介した指定ボタン６ｃ操作でユーザ指定チャネルが指定されると、測定リスト作成部５は、通信システムチャネルメモリ１内の選択された通信システムＧ1、Ｇ2に所属する各チャネル番号ＣＨ及び対応する各周波数ｆを読出して図５に示す測定リストテーブル９に書込む。
【００３０】
さらに、測定リスト作成部５は、指定ボタン６ｃ操作でユーザ指定チャネルが指定されると、ユーザ指定チャネルメモリ２に記憶されている各チャネル番号ＣＨ及び対応する各周波数ｆを読出して測定リストテーブル９に書込む。なお、指定ボタン６ｃが操作されない場合は、ユーザ指定チャネルメモリ２に記憶されている各チャネル番号は測定リストテーブル９に書込まれない。
【００３１】
より具体的には、図５に示すように、測定リストテーブル９に、選択された通信システムに所属するチャネル毎に、通信システム名Ｇ1（Ｇ2）、チャネル番号ＣＨ、対応する各周波数ｆ、ユーザ指定が書込まれる。ユーザ指定＝１の場合は該当チャネルがユーザ指定チャネルメモリ２に記憶されている状態を示し、ユーザ指定＝０の場合は該当チャネルがユーザ指定チャネルメモリ２に記憶されていないことを示す。
【００３２】
パワー測定制御部１０は、測定リストテーブル９に記憶された各チャネルに対するパワー測定を順番に実施するために各部を制御する。
【００３３】
アンテナ１１で受信された測定対象の変調信号ａは、周波数変換部１２で局部発振器１３からの周波数信号ｂで、パワー測定制御部１０で指定された測定対象のチャネルの周波数ｆの変調信号ａに周波数変換される。周波数変換された変調信号ａは、ＢＰＦ１４に入力して、このＢＰＦ１４にて、周波数ｆに周波数変換された変調信号ａの不要周波数成分が除去され、次のＡ／Ｄ変換部１５へ送出する。
【００３４】
Ａ／Ｄ変換部１５は、入力された１つのチャネル分のアナログの変調信号ａを所定のサンプリング周期でサンプリングして、デジタルの変調信号ａへ変換して、波形データメモリ１６及びチャネル判定部１８内のパワー測定部１７へ送出する。
【００３５】
パワー測定部１７は、Ａ／Ｄ変換部１５から出力された１チャネル分のデジタルの変調信号ａの信号値をパワー測定制御部１０から測定指示されたチャネルのパワー値Ｐとして測定する。チャネル判定部１８は、パワー測定部１７で測定したパワー値Ｐが予め設定されたしきい値Ｐth以上か否かを判定し、しきい値Ｐth以上の場合は「信号有り」を図６に示すパワー判定結果テーブル１９に書込む。チャネル判定部１８は、パワー値Ｐがしきい値Ｐth未満の場合は「信号無し」を図６に示すパワー判定結果テーブル１９に書込む。
【００３６】
したがって、パワー判定結果テーブル１９内には、選択された通信システムに所属するチャネル毎に、通信システム名Ｇ1（Ｇ2）、チャネル番号ＣＨ、対応する各周波数ｆ、［１］又は［０］のユーザ指定、「信号有り」又は「信号無し」のパワー判定結果が書込まれる。
【００３７】
変調解析制御部２０は、パワー測定制御部１０において、測定リストテーブル９の全部の測定対象のチャネルに対するパワー測定、及び信号有無の判定が終了すると、パワー判定結果テーブル１９内に記憶されている「信号有り」又は［１］のユーザ指定の各チャネルに対する変調方式判定を順番に実施するために各部を制御する。具体的には、各チャネルの周波数ｆを順番に、周波数変換部１２の局部発振器１３、及び変調解析部２１へ送出する。
【００３８】
波形データメモリ１６は、変調解析制御部２０で指定されたチャネルの周波数ｆに周波数変換されたデジタルの変調信号ａにおけるシンボルデータ単位毎の波形データをＦＩＦＯ方式で順番に一時記憶していく。変調解析部２１は、この波形データメモリ１６に記憶されたシンボルデータ単位毎の波形データを順次読出して、変調解析制御部２０で指定されたチャネルの周波数ｆを用いて、該当チャネルの変調方式を判定する。
【００３９】
そして、変調解析部２１は、判定した変調方式がパワー判定結果テーブル１９に記憶された該当チャネルが所属する通信システムＧ1、Ｇ2に指定された変調方式に一致する場合は、図７に示す変調解析結果テーブル２２に「ＯＫ」の変調判定結果を書込む。また、指定された変調方式に一致しない場合は、「指定外」の変調判定結果を書込む。具体的には、例えば、該当チャネルを、該当通信システムに指定された変調方式に対応する復調方式で復調して、正常に復調された場合は「ＯＫ」とする。
【００４０】
なお、変調解析制御部２０は、パワー判定結果テーブル１９内に記憶されている［１］のユーザ指定で「信号無し」のチャネルに対しては、変調方式を判定することなく、「信号無し」の変調判定結果を変調解析結果テーブル２２に書込む。
【００４１】
したがって、変調解析結果テーブル２２内には、図７に示すように、パワー判定結果テーブル１９内に記憶されている「信号有り」又は［１］のユーザ指定のチャネル毎に、通信システム名Ｇ1（Ｇ2）、チャネル番号ＣＨ、対応する各周波数ｆ、［１］又は［０］のユーザ指定、「ＯＫ」、「指定外」又は「信号無し」の変調判定結果が書込まれる。
【００４２】
変調解析制御部２０で指定された全部のチャネルに対する変調判定結果の変調解析結果テーブル２２に対する書込が終了すると、この変調解析結果テーブル２２の内容が表示器３に表示される。
【００４３】
パラメータメモリ２３内には、この変調信号解析装置で実施する変調方式判定以外の詳細測定に用いるチャネル毎の詳細なパラメータが記憶されている。この変調方式判定以外のチャネルに対する詳細測定としては、例えば、変調精度測定、コードドメインパワー測定、復調データモニタ監視、ＣＣＤＦ測定等がある。また、チャネル毎の詳細なパラメータとしては、入力レベル、周波数、フィルタ、同期ワード、バンド幅、スクランブルコード、拡散ファクター等がある。
【００４４】
詳細測定チャネル指示部２４は、表示器３に変調解析結果テーブル２２の内容、及び前述した各詳細測定の一覧が表示された状態において、操作者が操作部４で詳細測定項目及び測定チャネルを指定すると、詳細測定実行部２５を起動する。
【００４５】
詳細測定実行部２５は、指定されたチャネルに対する詳細測定の実行指示をパワー測定制御部１０又は変調解析制御部２０へ送るとともにパラメータ設定部２６を起動する。パラメータ設定部２６は指定されたチャネル、指定された詳細測定に対応する各パラメータをパラメータメモリ２３から読出して、パワー測定制御部１０又は変調解析制御部２０へ送る。パワー測定制御部１０又は変調解析制御部２０は、指定されたチャネルに対する指定された詳細測定を各パラメータを用いて実行し、実行結果を表示器５へ表示出力する。
【００４６】
このような構成の変調信号解析装置において、図８は、通信システム選択部７、ユーザチャネル選択部８及び測定リスト作成部５が行う測定リストテーブル９の作成処理動作を示す流れ図である。
【００４７】
表示器３に、図４に示すように、通信システムチャネルメモリ１内の各通信システム割付情報１ａ、１ｂ、及びユーザ指定チャネルメモリ２内のユーザ指定チャネル情報２ａが表示された状態で、選択ボタン６ａ、６ｂで通信システムＧ1（Ｇ2）が指定されると（ステップＳ１）、指定された通信システムＧ1（Ｇ2）を登録し（Ｓ２）、ユーザ指定チャネルが指定されると（Ｓ３）、ユーザ指定を登録する（Ｓ４）。
【００４８】
次に、指定された通信システムの数Ｇｅ、隣接チャネル相互間の周波数差Δｆ（＝２００ｋHz）の設定を行い（Ｓ５）、通信システムを示す変数（インデックス）Ｇを１に初期設定する（Ｓ６）。通信システムＧにおけるチャネル（番号）ＣＨ、周波数ｆの初期化（ＣＨ＝ＣＨｓ、ｆ＝ｆｓ）を行う。さらに、通信システムＧにおけるチャネル数ＣＨｅを設定する（Ｓ７）。
【００４９】
そして、通信システムＧにおけるチャネル（番号）ＣＨのユーザ指定を読出す（Ｓ８）。該当チャネル（番号）ＣＨがユーザ指定されていれば（Ｓ９）、測定リストテーブル９に、通信システムＧ、チャネル（番号）ＣＨ、周波数ｆ、ユーザ指定＝１を書込む（Ｓ１０）。一方、該当チャネル（番号）ＣＨがユーザ指定されていなければ（Ｓ９）、測定リストテーブル９に、通信システムＧ、チャネル（番号）ＣＨ、周波数ｆ、ユーザ指定＝０を書込む（Ｓ１１）。以上で測定リストテーブル９に対する１つのチャネルに対する書込が終了したので、Ｓ１２にてチャネル（番号）ＣＨを更新する（ＣＨ＝ＣＨ＋１）。
【００５０】
更新後のチャネル（番号）ＣＨが通信システムＧにおけるチャネル数ＣＨｅを越えていないことを確認すると（Ｓ１３）、Ｓ１４にて周波数ｆを更新（ｆ＝ｆ＋Δｆ）した後に、Ｓ８へ戻り、更新後のチャネル（番号）ＣＨのユーザ指定を読出す（Ｓ８）。
【００５１】
更新後のチャネル（番号）ＣＨが通信システムＧにおけるチャネル数ＣＨｅを越えていれば（Ｓ１３）、該当通信システムＧに割付られた全部のチャネル（番号）ＣＨの測定リストテーブル９への書込が終了したので、通信システムを示す変数（インデックス）Ｇを更新（Ｇ＝Ｇ＋１）した後（Ｓ１５）、更新後の変数（インデックス）Ｇが指定された通信システムの数Ｇｅを越えていなければ（Ｓ１６）、Ｓ７へ戻る。
【００５２】
更新後の変数（インデックス）Ｇが指定された通信システムの数Ｇｅを越えていれば（Ｓ１６）、指定された通信システムＧ1（Ｇ2）に割付られた全部のチャネル（番号）ＣＨの測定リストテーブル９への書込が終了したので、この処理を終了する。
【００５３】
図９はパワー測定制御部１０、パワー測定部１７、チャネル判定部１８が行うパワー測定処理動作を示す流れ図である。
【００５４】
先ず、測定リストテーブル９に記憶されているリスト数（測定チャネル数）Ｌse、パワーＰのしきい値Ｐthを設定し（Ｑ１）、リスト番号ｉの初期化（ｉ＝１）を行う（Ｑ２）。そして、測定リストテーブル９に記憶されているｉ番目の通信システムＧ、チャネル（番号）ＣＨ、周波数ｆ、ユーザ設定を読出す（Ｑ３）。
【００５５】
周波数変換部１２に周波数ｆを設定したのち（Ｑ４）、Ａ／Ｄ変換器１５の出力信号値をパワー値Ｐとして読取り（Ｑ５）、このパワー値Ｐがしきい値Ｐth以上か否かを判定する（Ｑ６）。パワー値Ｐがしきい値Ｐth以上の場合、パワー判定結果テーブル１９に、通信システムＧ、チャネル（番号）ＣＨ、周波数ｆ、ユーザ指定、「信号有り」のパワー判定結果を書込む（Ｑ７）。パワー値Ｐがしきい値Ｐth未満の場合、ユーザ指定を調べ（Ｑ８）、ユーザ指定が［１］の場合のみ、パワー判定結果テーブル１９に、通信システムＧ、チャネル（番号）ＣＨ、周波数ｆ、ユーザ指定、「信号無し」のパワー判定結果を書込む（Ｑ９）。なお、ユーザ指定が［０］の場合は、パワー判定結果テーブル１９になにも書き込まない。
【００５６】
以上で、測定リストテーブル９に記憶されている１つのチャネルに対するパワー測定が終了したので、リスト番号ｉを更新（ｉ＝ｉ＋１）した後（Ｑ１０）、更新後のリスト番号ｉがリスト数（測定チャネル数）Ｌseを越えていなければ（Ｑ１１）、Ｑ３へ戻り、更新後のリスト番号ｉの通信システムＧ、チャネル（番号）ＣＨ、周波数ｆ、ユーザ設定を読出す。
【００５７】
更新後のリスト番号ｉがリスト数（測定チャネル数）Ｌseを越えていれば、測定リストテーブル９に記憶されている全部のリスト（測定チャネル）に対するパワー測定が終了したので、この処理を終了する。
【００５８】
図１０は、変調解析制御部２０、変調解析部２１が行う変調解析処理動作を示す流れ図である。
【００５９】
先ず、パワー判定結果テーブル１９に記憶されているリスト数（測定チャネル数）Ｌseを設定し（Ｒ１）、リスト番号ｋの初期化（ｋ＝１）を行う（Ｒ２）。そして、パワー判定結果テーブル１９に記憶されているｋ番目の通信システムＧ、チャネル（番号）ＣＨ、周波数ｆ、ユーザ設定、パワー判定結果を読出す（Ｒ３）。
【００６０】
パワー判定結果が［信号無し］の場合は（Ｒ４）、このリスト（チャネル）に対する変調方式に対する判定を実施することなく、変調解析結果テーブル２２に、チャネル（番号）ＣＨ、周波数ｆ、通信システムＧ、ユーザ設定、［信号無し］の変調判定結果を書込む（Ｒ５）。そして、Ｒ１２へ進み、リスト番号ｋの更新（ｋ＝ｋ＋１）を行う。
【００６１】
パワーの判定結果が［信号有り］の場合は（Ｒ４）、周波数ｆを周波数変換部１２の局部発振器１３に設定し（Ｒ６）、周波数ｆを変調解析部２１に設定する（Ｒ７）。そして、変調解析部２１で該当チャネルに対する変調方式の判定（解析）を行い（Ｒ８）、変調方式が該当通信システムＧに指定された変調方式に一致する場合は（Ｒ９）、変調解析結果テーブル２２に、チャネル（番号）ＣＨ、周波数ｆ、通信システムＧ、ユーザ設定、［ＯＫ］の変調判定結果を書込む（Ｒ１０）。そして、Ｒ１２へ進み、リスト番号ｋの更新（ｋ＝ｋ＋１）を行う。
【００６２】
変調方式が該当通信システムＧに指定された変調方式に一致しない場合は（Ｒ９）、変調解析結果テーブル２２に、チャネル（番号）ＣＨ、周波数ｆ、通信システムＧ、ユーザ設定、［指定外］の変調判定結果を書込む（Ｒ１１）。そして、Ｒ１２へ進み、リスト番号ｋの更新（ｋ＝ｋ＋１）を行う。
【００６３】
更新後のリスト番号ｋが、パワー判定結果テーブル１９に記憶されているリスト数（測定チャネル数）Ｌseを越えていなければ（Ｒ１３）、Ｒ３へ戻り、更新後のリスト番号ｋの通信システムＧ、チャネル（番号）ＣＨ、周波数ｆ、ユーザ設定、パワー判定結果を読出す。
【００６４】
更新後のリスト番号ｋがリスト数（測定チャネル数）Ｌseを越えていれば、パワー判定結果テーブル１９に記憶されている全部のリスト（測定チャネル）に対する変調方式に対する判定が終了したので、この処理を終了する。
【００６５】
なお、図１１は、表示器３に表示された実際の変調解析結果テーブル２２の一例を示す図である。
【００６６】
このように構成された変調信号解析装置においては、操作者は、表示器３に表示された図４に示す各通信システム割付情報１ａ、１ｂ、及びユーザ指定チャネルメモリ２内のユーザ指定チャネル情報２ａで測定したい通信システムＧ1（Ｇ2）を指定すると、指定された通信システムに所属するチャネル番号ＣＨ及びこのチャネル番号ＣＨに対応する周波数ｆが測定リストテーブル９に書込まれる。さらに、したがって、全ての通信システムＧ1（Ｇ2）に割当てられた全部のチャネル番号ＣＨに対する試験を実施する必要がないので、試験能率を向上できる。
【００６７】
この場合、操作者は、各通信システムＧ1（Ｇ2）の各チャネル番号ＣＨのなかから自己が特に注目したいチャネル番号ＣＨを予めユーザ指定チャネルメモリ２に登録しておくことによって、指定したチャネル番号ＣＨが、測定指定され通信システムＧ1（Ｇ2）に所属しているか否かにかかわらず、必ず測定される。
【００６８】
また、測定リストテーブル９に記憶された各チャネル番号ＣＨにおけるパワー値Ｐがしきい値Ｐth以上のチャネル番号ＣＨに対してのみ変調解析部２１で変調方式の判定解析が実施され、パワー値Ｐがしきい値Ｐth未満のチャネルＣＨは変調解析部２１で変調方式の判定解析が実施されない。したがって、指定した通信システムＧ1（Ｇ2）に割当てられた全部のチャネル番号ＣＨに対する変調方式判定の変調解析を実施する必要がないので、試験能率をさらに向上できる。なお、パワー測定の所要時間は変調方式判定の変調解析の所要時間に比較して格段に短い。
【００６９】
さらに、操作者は、表示器３に、図７に示す変調解析結果テーブル２２が表示された状態において、特に詳細に信号解析を実施したいチャネル番号ＣＨ及び詳細測定項目を指定すると、指定されたチャネル番号ＣＨ及び詳細測定項目に対応するパラメータが自動的にパラメータメモリ２３から読出されて、このパラメータを用いて、該当チャネルに対する詳細測定が自動的に実施される。したがって、操作者は、その都度、パラメータをマニュアル設定する必要がないので、操作性が向上するとともに、試験能率を向上できる。
【図面の簡単な説明】
【００７０】
【図１】本発明の一実施形態に係わる変調信号解析装置の概略構成を示す機能ブロック図
【図２】同変調信号解析装置内に設けられた通信システムチャネルメモリの記憶内容を示す図
【図３】同変調信号解析装置内に設けられたユーザ指定チャネルメモリの記憶内容を示す図
【図４】同変調信号解析装置内に設けられた表示器の表示内容を示す図
【図５】同変調信号解析装置内に設けられた測定リストテーブルの記憶内容を示す図
【図６】同変調信号解析装置内に設けられたパワー判定結果テーブルの記憶内容を示す図
【図７】同変調信号解析装置内に設けられた変調解析結果テーブルの記憶内容を示す図
【図８】同変調信号解析装置の測定リスト作成処理動作を示す流れ図
【図９】同変調信号解析装置のパワー測定処理動作を示す流れ図
【図１０】同変調信号解析装置の変調解析処理動作を示す流れ図
【図１１】同変調信号解析装置内に設けられた表示器に表示された変調解析結果テーブルの実際例を示す図
【符号の説明】
【００７１】
１…通信システムチャネルメモリ、２…ユーザ指定チャネルメモリ、３…表示器、４…操作部、５…測定リスト作成部、７…通信システム選択部、８…ユーザチャネル指定部、１０…パワー測定制御部、１２…周波数変換部、１５…Ａ／Ｄ変換器、１６…波形データメモリ、１７…パワー測定部、１８…チャネル判定部、１９…パワー判定結果テーブル、２０…変調解析制御部、２１…変調解析部、２２…変調解析結果テーブル、２３…パラメータメモリ、２４…詳細測定チャネル指定部、２５…詳細測定実行部、２６…パラメータ設定部
【図１】
2007028078.tif 000003
【図２】
2007028078.tif 000004
【図３】
2007028078.tif 000005
【図４】
2007028078.tif 000006
【図５】
2007028078.tif 000007
【図６】
2007028078.tif 000008
【図７】
2007028078.tif 000009
【図８】
2007028078.tif 000010
【図９】
2007028078.tif 000011
【図１０】
2007028078.tif 000012
【図１１】
2007028078.tif 000013